(57)【要約】【課題】ディスプレイ体だけを取外して再使用することができ、しかも、その装着時にはディスプレイ支持部材に対するディスプレイ体の必要な電気的接続も同時にできるようにする。【解決手段】ディスプレイ体４を、ディスプレイ支持部材３に取外し可能に装着し、その装着によってディスプレイ体４が、雄側コネクタ１３と雌側コネクタ９とにより、ディスプレイ支持部材３に電気的にも接続されるようにした。【選択図】  図１
2004206386.tif 000002
【特許請求の範囲】
【請求項１】
本体と、
この本体から表示信号を受けるディスプレイ支持部材と、
このディスプレイ支持部材に取外し可能に装着され、その装着によりディスプレイ支持部材に電気的にも接続されて、該ディスプレイ支持部材が前記本体から受けた表示信号に基づく表示をするディスプレイ体とを具備して成ることを特徴とするパーソナルコンピュータ。
【請求項２】
ディスプレイ支持部材がディスプレイ体装着孔を有し、ディスプレイ体がそのディスプレイ体装着孔からディスプレイ支持部材に抜き取り可能に差し込まれて装着されることを特徴とする請求項１記載のパーソナルコンピュータ。
【請求項３】
ディスプレイ支持部材がディスプレイ体ガイド部を有し、ディスプレイ体がそれと対応する被ガイド部を有して、それらを嵌合させることにより、ディスプレイ支持部材に対するディスプレイ体の抜き差しがガイドされることを特徴とする請求項２記載のパーソナルコンピュータ。
【請求項４】
ディスプレイ支持部材のディスプレイ体装着孔を閉塞するカバーを取外し可能に有することを特徴とする請求項２記載のパーソナルコンピュータ。
【請求項５】
カバーが、ディスプレイ体をディスプレイ支持部材内に押し込み付勢する付勢手段を有することを特徴とする請求項４記載のパーソナルコンピュータ。
【発明の詳細な説明】
【０００１】
【発明の属する技術分野】
本発明は、ディスプレイ体を取外し可能に有するパーソナルコンピュータに関する。
【０００２】
【従来の技術】
従来より、パーソナルコンピュータにおけるディスプレイ体は、ディスプレイ支持部材に一体に設けられており、ディスプレイ支持部材は本体に取付けられ、又はそれとは別体で設けられている。そして、その構成で、ディスプレイ支持部材が本体から表示信号を受け、その受けた信号に基づく表示をディスプレイ体がするようになっている。
【０００３】
このようなパーソナルコンピュータにおいては、経年的に、本体の機能が新製品のそれより劣ってくることがあり、あるいは本体の一部を破損することがある。このようなとき、上述のディスプレイ体がディスプレイ支持部材に一体に設けられ、更に、ディスプレイ支持部材が本体に取付けられているものでは、ディスプレイ体の状態が良好で再使用可能であっても、ディスプレイ体ごと全部が廃棄されてしまっていた。
【０００４】
これに対して、上記ディスプレイ体をディスプレイ支持部材と共に、本体に対して取外しできるようにしたものが供されている（例えば、特許文献１，２参照）。
【０００５】
【特許文献１】
特開２００１−３３１２３８号公報（段落「００２６」、図２，４）
【０００６】
【特許文献１】
特開２００１−３０６１７９号公報（第４頁）
【０００７】
【発明が解決しようとする課題】
上述の、ディスプレイ体をディスプレイ支持部材と共に、本体に対して取外しできるようにしたものの場合、ディスプレイ体を本体から取外しできるものの、その取外しにはディスプレイ支持部材を伴っており、ディスプレイ体だけを取外して再使用するということができなかった。
【０００８】
本発明は上述の事情に鑑みてなされたものであり、従ってその目的は、ディスプレイ体だけを取外して再使用することができ、しかも、その装着時にはディスプレイ支持部材に対するディスプレイ体の必要な電気的接続も同時にできるパーソナルコンピュータを提供するにある。
【０００９】
【課題を解決するための手段】
上記目的を達成するために、本発明のパーソナルコンピュータは、本体と、この本体から表示信号を受けるディスプレイ支持部材と、このディスプレイ支持部材に取外し可能に装着され、その装着によりディスプレイ支持部材に電気的にも接続されて、該ディスプレイ支持部材が前記本体から受けた表示信号に基づく表示をするディスプレイ体とを具備して成ることを特徴とする（請求項１の発明）。
【００１０】
このものによれば、ディスプレイ支持部材からディスプレイ体を取外すことにより、ディスプレイ体だけを取外して再使用することができる。又、ディスプレイ体は、ディスプレイ支持部材に装着することによって、ディスプレイ支持部材に電気的にも接続されるから、ディスプレイ支持部材に対するディスプレイ体の接続が装着と同時にできる。
【００１１】
この場合、ディスプレイ支持部材がディスプレイ体装着孔を有し、ディスプレイ体がそのディスプレイ体装着孔からディスプレイ支持部材に抜き取り可能に差し込まれて装着されると良い（請求項２の発明）。
このものでは、ディスプレイ支持部材に対するディスプレイ体の装着と取外しが、ディスプレイ支持部材に対するディスプレイ体の抜き差しで容易にできる。
【００１２】
又、その場合、ディスプレイ支持部材がディスプレイ体ガイド部を有し、ディスプレイ体がそれと対応する被ガイド部を有して、それらを嵌合させることにより、ディスプレイ支持部材に対するディスプレイ体の抜き差しがガイドされるのも良い（請求項３の発明）。
このものでは、ディスプレイ支持部材に対するディスプレイ体の抜き差しが、ディスプレイ支持部材のディスプレイ体ガイド部と、ディスプレイ体の被ガイド部とでガイドしてスムーズにできる。
【００１３】
更に、その場合、ディスプレイ支持部材のディスプレイ体装着孔を閉塞するカバーを取外し可能に有するのも良い（請求項４の発明）。
このものでは、ディスプレイ支持部材に差し込んだディスプレイ体の、ディスプレイ体装着孔からの抜け出しがカバーによって阻止される。又、ディスプレイ体装着孔からの異物の侵入に対するディスプレイ体の保護も、カバーによってなされる。
【００１４】
そして、上記カバーが、ディスプレイ体をディスプレイ支持部材内に押し込み付勢する付勢手段を有するのも良い（請求項６の発明）。
このものでは、ディスプレイ支持部材内でのディスプレイ体の動きを付勢手段により制止することができる。
【００１５】
【発明の実施の形態】
以下、本発明の一実施例につき、図面を参照して説明する。
まず、図２には、パーソナルコンピュータの全体構成を示しており、このパーソナルコンピュータは、本体１と、この本体１にヒンジ２によって上下に回動可能に取付けたディスプレイ支持部材３、及びこのディスプレイ支持部材３に装着したディスプレイ体４から成っており、ノート形である。
【００１６】
上記本体１は、上面にキーボード５を有しており、そのほか、図示しないが、ＣＰＵ等を内蔵し、上記ヒンジ２の部分を介してディスプレイ支持部材３に表示信号を送るようになっている。
【００１７】
ディスプレイ支持部材３は、前後に扁平な薄箱状を成しており、前面部にディスプレイ体４を露出させる開口６を有している。又、このディスプレイ支持部材３の右側面部には、図１に示す縦長のディスプレイ体装着孔７を形成している。更に、このディスプレイ支持部材３の内上部には、ディスプレイ体ガイド部としての凸部８を、ディスプレイ支持部材３の内上部の横幅（左右）ほゞ全長に渡る長さで形成しており、内下部のディスプレイ体装着孔７近くの部位には、接続受部としての雌側コネクタ９を設けている。加えて、このディスプレイ支持部材３のディスプレイ体装着孔７の上下両端部には、それぞれねじ穴１０を形成している。
【００１８】
これに対して、ディスプレイ体４は、図３及び図４に示すように、ディスプレイパネル１１と、このディスプレイパネル１１を囲ったフレーム１２、及びこのフレーム１２と一体的に設けた接続部としての雄側コネクタ１３、のユニットから成っている。又、このディスプレイ体４のフレーム１２の上面部には、上記凸部８と対応する被ガイド部としての凹部１４を、フレーム１２の上面部の横幅（左右）ほゞ全長に渡る長さで形成している。なお、ディスプレイパネル１１には、この場合、液晶ディスプレイパネル等の薄形ディスプレイパネルを使用しており、上述のディスプレイ体装着孔７は、それに上記フレーム１２及び雄側コネクタ１３を加えたディスプレイ体４に合った形状となっている。
【００１９】
そして、図５には、カバー１５を示している。このカバー１５は、前記ディスプレイ支持部材３のディスプレイ体装着孔７を閉塞するもので、上下の両端部に前記ねじ穴１０と対応するねじ１６をそれぞれ挿通している。又、このカバー１５の裏面には、付勢手段としての板ばね１７を取付けている。
【００２０】
以上の構成で、ディスプレイ支持部材３には、ディスプレイ体４を、ディスプレイ体装着孔７から、凸部８に凹部１４を嵌合させつつ、差し込んで装着している。すると、ディスプレイ体４がディスプレイ支持部材３の左奥部にほゞ到達する時点で、雄側コネクタ１３が雌側コネクタ９に結合し、かくして、ディスプレイ体４がディスプレイ支持部材３に装着されると共に、ディスプレイ支持部材３に電気的にも接続されている。
【００２１】
そして、その後、ディスプレイ支持部材３には、カバー１５を、板ばね１７によりディスプレイ支持部材３の左奥方向にディスプレイ体４を押圧しつつ、ねじ穴１０にそれぞれねじ１６を螺挿して締付けることにより取付け、もって、ディスプレイ体装着孔７をカバー１５により閉塞している。この結果、板ばね１７は、ディスプレイ体４をディスプレイ支持部材３内に押し込み付勢し続ける。
【００２２】
しかして、このようにディスプレイ支持部材３に装着されたディスプレイ体４は、ディスプレイ支持部材３が本体１から受けた表示信号に基づく表示をする。
【００２３】
そして、ディスプレイ体４を取外す折りには、ねじ１６をねじ穴１０からそれぞれ螺脱させることによってカバー１５をディスプレイ支持部材３から取外し、その後に、ディスプレイ体４をディスプレイ支持部材３から抜き取る。この抜き取ったディスプレイ体４は、新たなパーソナルコンピュータのディスプレイ支持部材に前述同様に装着することによって、再使用に供する。
【００２４】
このように本構成のものによれば、ディスプレイ支持部材３からディスプレイ体４を取外すことにより、ディスプレイ体４だけを取外して再使用することができるもので、従来のもののようにパーソナルコンピュータの全部が廃棄されることはなく、又、ディスプレイ支持部材３を伴って取外されるというようなこともない。又、本構成のものの場合、ディスプレイ体４は、ディスプレイ支持部材３に装着することによって、ディスプレイ支持部材３に電気的にも接続されるから、ディスプレイ支持部材３に対するディスプレイ体４の接続が装着と同時にでき、別途接続するような手間を要しない。
【００２５】
更に、ディスプレイ支持部材３はディスプレイ体装着孔７を有し、ディスプレイ体４がそのディスプレイ体装着孔７からディスプレイ支持部材３に抜き取り可能に差し込まれて装着されるから、ディスプレイ支持部材３に対するディスプレイ体４の装着と取外しが、ディスプレイ支持部材３に対するディスプレイ体４の抜き差しで容易にできる。
【００２６】
加えて、ディスプレイ支持部材３はディスプレイ体ガイド部として凸部８を有し、ディスプレイ体４がそれと対応する被ガイド部として凹部１４を有して、それらを嵌合させることにより、ディスプレイ支持部材３に対するディスプレイ体４の抜き差しがガイドされるようにしているから、ディスプレイ支持部材３に対するディスプレイ体４の抜き差しが、そのガイド作用でスムーズにできる。
【００２７】
又、ディスプレイ支持部材３のディスプレイ体装着孔７を閉塞するカバー１５を有しているから、ディスプレイ支持部材３に差し込んだディスプレイ体４の、ディスプレイ体装着孔７からの抜け出しをカバー１５によって阻止することができる。又、ディスプレイ体装着孔７からの異物の侵入に対するディスプレイ体４の保護も、カバー１５によってできる。
【００２８】
そして更に、カバー１５が、ディスプレイ体４をディスプレイ支持部材３内に押し込み付勢する付勢手段として板ばね１７を有しており、これによって、ディスプレイ支持部材３内でのディスプレイ体４の動きを制止することができ、ディスプレイ体４のがたつき等を防止することができる。
【００２９】
なお、上記実施例では、本発明をノート形のパーソナルコンピュータに適用して述べたが、それに限られず、ディスクトップ形のパーソナルコンピュータにも適用できる（この場合、ディスプレイ支持部材は本体とは別体で設けられていても良い）。
【００３０】
又、ディスプレイ体ガイド部と被ガイド部の凹凸関係は上述と逆であっても良い。更に、コネクタ（接続受部と接続部）の雌雄関係も上述と逆であっても良い。加えて、ディスプレイ体はフレームを具えていなくても良い。
そのほか、本発明は上記し且つ図面に示した実施例にのみ限定されるものではなく、要旨を逸脱しない範囲内で適宜変更して実施し得る。
【００３１】
【発明の効果】
以上説明したように、本発明のパーソナルコンピュータによれば、ディスプレイ体を、ディスプレイ支持部材に取外し可能に装着し、その装着によってディスプレイ体がディスプレイ支持部材に電気的にも接続されるようにしたから、ディスプレイ体だけを取外して再使用することができ、しかも、その装着時にはディスプレイ支持部材に対するディスプレイ体の必要な電気的接続も同時にできるという著効が得られる。
【図面の簡単な説明】
【図１】本発明の一実施例を示す全体の、カバーを除く側面図
【図２】全体の外観斜視図
【図３】ディスプレイ体単独の斜視図
【図４】ディスプレイ体単独の側面図
【図５】カバー単独の側面図
【符号の説明】
１は本体、３はディスプレイ支持部材、４はディスプレイ体、７はディスプレイ体装着孔、８は凸部（ディスプレイ体ガイド部）、９は雌側コネクタ（接続受部）、１３は雄側コネクタ（接続部）、１４は凹部（被ガイド部）、１５はカバー、１７は板ばね（付勢手段）を示す。
【図１】
2004206386.tif 000003
【図２】
2004206386.tif 000004
【図３】
2004206386.tif 000005
【図４】
2004206386.tif 000006
【図５】
2004206386.tif 000007